(57)【要約】【課題】フィット性がよく、吸収性コアの隅部がよれたり折れたりせずに適切に装着され易い吸収性物品を提供すること。【解決手段】吸収性コア（１２）を備える吸収性物品（１）であって、非肌側面に粘着領域（２１）が設けられており、長手方向の少なくとも一方側の粘着領域（２１）の端よりも長手方向の外側、且つ、幅方向の両端部に、吸収性コア（１２）が厚さ方向に凹んだ第１凹部（４１）及び第２凹部（４２）が設けられており、第１凹部（４１）及び第２凹部（４２）では、隣接領域に比べて吸収性コア（１２）の密度が高く、第１凹部（４１）と第２凹部（４２）は幅方向において離間している吸収性物品。【選択図】図４
2018121863.tif 000002
【特許請求の範囲】
【請求項１】
長手方向と幅方向と厚さ方向とを有し、吸収性コアを備える吸収性物品であって、
非肌側面に粘着領域が設けられており、
前記長手方向の少なくとも一方側の前記粘着領域の端よりも前記長手方向の外側、且つ、前記幅方向の両端部に、前記吸収性コアが前記厚さ方向に凹んだ第１凹部及び第２凹部が設けられており、
前記第１凹部及び前記第２凹部では、隣接領域に比べて前記吸収性コアの密度が高く、
前記第１凹部と前記第２凹部は、前記幅方向において離間していること、を特徴とする吸収性物品。
【請求項２】
請求項１に記載の吸収性物品であって、
前記第１凹部及び前記第２凹部は、前記幅方向において前記粘着領域の端よりも外側に設けられていること、を特徴とする吸収性物品。
【請求項３】
請求項１又は請求項２に記載の吸収性物品であって、
前記第１凹部と前記第２凹部の間に、前記吸収性コアの坪量が隣接領域に比べて低い低坪量領域が設けられていること、を特徴とする吸収性物品。
【請求項４】
請求項３に記載の吸収性物品であって、
前記第１凹部と前記第２凹部の間に、一対の前記低坪量領域が設けられており、
前記長手方向において前記粘着領域の端よりも外側、且つ、一対の前記低坪量領域の間に、前記吸収性コアが前記厚さ方向に凹んだ第３凹部が設けられており、
前記第３凹部では、隣接領域に比べて前記吸収性コアの密度が高いこと、を特徴とする吸収性物品。
【請求項５】
請求項３又は請求項４に記載の吸収性物品であって、
前記低坪量領域の前記幅方向の両側に前記粘着領域が設けられていること、を特徴とする吸収性物品。
【請求項６】
請求項１から請求項５の何れか１項に記載の吸収性物品であって、
前記第１凹部及び前記第２凹部は線状の凹部であり、
平面視において、前記第１凹部及び前記第２凹部それぞれの一部が前記粘着領域と重複していること、を特徴とする吸収性物品。
【請求項７】
請求項６に記載の吸収性物品であって、
平面視において、前記第１凹部及び前記第２凹部それぞれの一端部及び他端部が前記粘着領域と重複していること、を特徴とする吸収性物品。
【請求項８】
請求項１から請求項７の何れか１項に記載の吸収性物品であって、
前記凹部は線状の凹部であり、前記長手方向の外側から中央側に折り返している折り返し部を有すること、を特徴とする吸収性物品。
【請求項９】
請求項１から請求項８の何れか１項に記載の吸収性物品であって、
前記長手方向において前記第１凹部及び前記第２凹部と重複する前記吸収性コアの部位は、その輪郭が凹凸形状を成し、所定数の突出部を有し、
前記第１凹部及び前記第２凹部は、前記吸収性コアの輪郭に沿った線状の凹部であり、前記所定数の突出部を有すること、を特徴とする吸収性物品。
【請求項１０】
請求項１から請求項９の何れか１項に記載の吸収性物品であって、
前記長手方向の両側にそれぞれ前記第１凹部及び前記第２凹部が設けられており、
前記長手方向の前側の前記第１凹部及び第２凹部は、前記長手方向の後側の前記第１凹部及び前記第２凹部と、前記長手方向において離間していること、を特徴とする吸収性物品。
【請求項１１】
請求項１から請求項１０の何れか１項に記載の吸収性物品であって、
前記幅方向に延出する一対のウィング部を備え、
前記ウィング部よりも前記長手方向の外側、且つ、前記吸収性コアの前記幅方向の両端部に、前記吸収性コアの坪量が隣接領域に比べて低い一対の第２低坪量領域が設けられていること、を特徴とする吸収性物品。
【発明の詳細な説明】
【技術分野】
【０００１】
本発明は、吸収性物品に関する。
【背景技術】
【０００２】
吸収性物品の一例として生理用ナプキンが挙げられる。特許文献１には、表面シートと裏面シートの間に吸収性コア（吸収体）が設けられ、表面シートと吸収性コアをエンボス加工によって厚さ方向に圧搾した圧搾部が形成された吸収性物品が開示されている。
【先行技術文献】
【特許文献】
【０００３】
【特許文献１】特開２０１６−１２３６１２号公報
【発明の概要】
【発明が解決しようとする課題】
【０００４】
特許文献１の吸収性物品では、長手方向の両端部に、幅方向に連続して延びた圧搾部が形成されている。そのため、吸収性物品の長手方向の両端部が平面状に固定され易く、着用者の下腹部や臀部に沿って湾曲し難いため、フィット性がよくない。
また、特許文献１の吸収性物品では、下着に貼り付けるための粘着領域が吸収性コアの長手方向の全域に亘って形成されている。しかし、低コスト化等の理由により粘着領域の長さが吸収性コアよりも短い場合がある。その場合、下着の引き上げ時に、粘着領域よりも長手方向の外側の吸収性コアの隅部が倒れたり折れたりし易く、吸収性コアの隅部がよれたり折れたりした状態で装着されてしまう恐れがある。
本発明は、上記のような問題に鑑みてなされたものであって、フィット性がよく、吸収性コアの隅部がよれたり折れたりせずに適切に装着され易い吸収性物品を提供することを目的とする。
【課題を解決するための手段】
【０００５】
上記目的を達成するための主たる発明は、長手方向と幅方向と厚さ方向とを有し、吸収性コアを備える吸収性物品であって、非肌側面に粘着領域が設けられており、前記長手方向の少なくとも一方側の前記粘着領域の端よりも前記長手方向の外側、且つ、前記幅方向の両端部に、前記吸収性コアが前記厚さ方向に凹んだ第１凹部及び第２凹部が設けられており、前記第１凹部及び前記第２凹部では、隣接領域に比べて前記吸収性コアの密度が高く、前記第１凹部と前記第２凹部は、前記幅方向において離間していること、を特徴とする吸収性物品である。
本発明の他の特徴については、本明細書及び添付図面の記載により明らかにする。
【発明の効果】
【０００６】
本発明によれば、フィット性がよく、吸収性コアの隅部がよれたり折れたりせずに適切に装着され易い吸収性物品を提供することができる。
【図面の簡単な説明】
【０００７】
【図１】生理用ナプキン１を肌側から見た平面図である。
【図２】ナプキン１を非肌側から見た平面図である。
【図３】図３Ａは図１中のＡＡ線におけるナプキン１の概略断面図であり、図３Ｂは点状圧搾部６及び線状圧搾部４０を説明するナプキン１の概略断面図である。
【図４】吸収体１０を説明するナプキン１の平面図である。
【図５】前側領域Ｒ１に設けられた線状圧搾部４０を説明する図である。
【図６】後側領域Ｒ３に設けられた線状圧搾部４０を説明する図である。
【発明を実施するための形態】
【０００８】
本明細書及び添付図面の記載により、少なくとも以下の事項が明らかとなる。
長手方向と幅方向と厚さ方向とを有し、吸収性コアを備える吸収性物品であって、非肌側面に粘着領域が設けられており、前記長手方向の少なくとも一方側の前記粘着領域の端よりも前記長手方向の外側、且つ、前記幅方向の両端部に、前記吸収性コアが前記厚さ方向に凹んだ第１凹部及び第２凹部が設けられており、前記第１凹部及び前記第２凹部では、隣接領域に比べて前記吸収性コアの密度が高く、前記第１凹部と前記第２凹部は、前記幅方向において離間していること、を特徴とする吸収性物品である。
【０００９】
このような吸収性物品によれば、第１凹部及び第２凹部により、吸収性コアの隅部の剛性が高まる。そのため、下着の引き上げ時に、下着に固定されていない吸収性コアの隅部が倒れ難く折れ難くなる。よって、吸収性コアの隅部がよれたり折れたりせずに吸収性物品が適切に装着され易い。また、第１凹部と第２凹部が幅方向において離間しているため、長手方向における吸収性物品の端部領域が平面状に固定され難い。よって、端部領域が着用者の下腹部や臀部に沿って湾曲し易くフィット性がよい。
【００１０】
かかる吸収性物品であって、前記第１凹部及び前記第２凹部は、前記幅方向において前記粘着領域の端よりも外側に設けられていること、を特徴とする吸収性物品である。
【００１１】
このような吸収性物品によれば、下着の引き上げ時に倒れ易く折れ易い吸収性コアの隅部の剛性を高めることができる。
【００１２】
かかる吸収性物品であって、前記第１凹部と前記第２凹部の間に、前記吸収性コアの坪量が隣接領域に比べて低い低坪量領域が設けられていること、を特徴とする吸収性物品である。
【００１３】
このような吸収性物品によれば、長手方向における吸収性物品の端部領域が着用者の下腹部や臀部に沿って湾曲し易くフィット性がよい。
【００１４】
かかる吸収性物品であって、前記第１凹部と前記第２凹部の間に、一対の前記低坪量領域が設けられており、前記長手方向において前記粘着領域の端よりも外側、且つ、一対の前記低坪量領域の間に、前記吸収性コアが前記厚さ方向に凹んだ第３凹部が設けられており、前記第３凹部では、隣接領域に比べて前記吸収性コアの密度が高いこと、を特徴とする吸収性物品である。
【００１５】
このような吸収性物品によれば、第３凹部により一対の低坪量領域の間の剛性が高まり、下着の引き上げ時に倒れ難く折れ難くなる。よって、吸収性コアがよれたり折れたりせずに吸収性物品が適切に装着され易い。
【００１６】
かかる吸収性物品であって、前記低坪量領域の前記幅方向の両側に前記粘着領域が設けられていること、を特徴とする吸収性物品である。
【００１７】
このような吸収性物品によれば、低坪量領域で区画された吸収性コアの領域の根元部分が下着に固定され、且つ、粘着領域よりも長手方向の外側には第１凹部や第２凹部が設けられているため、吸収性コアがよれたり折れたりせずに適切に装着され易い。
【００１８】
かかる吸収性物品であって、前記第１凹部及び前記第２凹部は線状の凹部であり、平面視において、前記第１凹部及び前記第２凹部それぞれの一部が前記粘着領域と重複していること、を特徴とする吸収性物品である。
【００１９】
このような吸収性物品によれば、第１凹部及び第２凹部により、下着に固定される部位から連続して吸収性コアの隅部の剛性が高まる。よって、吸収性コアの隅部がよれたり折れたりせずに吸収性物品が装着され易い。
【００２０】
かかる吸収性物品であって、平面視において、前記第１凹部及び前記第２凹部それぞれの一端部及び他端部が前記粘着領域と重複していること、を特徴とする吸収性物品である。
【００２１】
このような吸収性物品によれば、第１凹部及び第２凹部により、下着に固定される２か所から連続して吸収性コアの隅部の剛性が高まる。よって、吸収性コアの隅部がよれたり折れたりせずに吸収性物品が装着され易い。
【００２２】
かかる吸収性物品であって、前記凹部は線状の凹部であり、前記長手方向の外側から中央側に折り返している折り返し部を有すること、を特徴とする吸収性物品である。
【００２３】
このような吸収性物品によれば、第１凹部及び第２凹部が設けられた領域が大きくなり、吸収性コアの隅部の剛性が高まる。また、折り返し部は長手方向の成分と幅方向の成分を有し、折り返し部で囲まれた領域は平面形状を維持し易い。よって、吸収性コアの隅部がよれたり折れたりせずに吸収性物品が適切に装着され易い。
【００２４】
かかる吸収性物品であって、前記長手方向において前記第１凹部及び前記第２凹部と重複する前記吸収性コアの部位は、その輪郭が凹凸形状を成し、所定数の突出部を有し、前記第１凹部及び前記第２凹部は、前記吸収性コアの輪郭に沿った線状の凹部であり、前記所定数の突出部を有すること、を特徴とする吸収性物品である。
【００２５】
このような吸収性物品によれば、第１凹部及び第２凹部が吸収性コアの輪郭に沿っていることで、第１凹部及び第２凹部の内側の膨らみによる着け心地の良い印象や、高級感のある印象を使用者に付与できる。また、吸収性コアの輪郭が凹凸形状を成すことで、着用者の動きに応じて吸収性コアが変形する際に、突出部の間の谷部を起点に折れ皺の発生を一定にでき、無秩序な皺の発生を抑制できる。
【００２６】
かかる吸収性物品であって、前記長手方向の両側にそれぞれ前記第１凹部及び前記第２凹部が設けられており、前記長手方向の前側の前記第１凹部及び第２凹部は、前記長手方向の後側の前記第１凹部及び前記第２凹部と、前記長手方向において離間していること、を特徴とする吸収性物品である。
【００２７】
このような吸収性物品によれば、吸収性コアの４隅がよれたり折れたりせずに吸収性物品が適切に装着され易い。また、吸収性物品の長手方向の中央領域での幅方向の側部の立ち上がりが、長手方向の端部領域に伝達されてしまうことを防ぎ、端部領域が着用者の下腹部や臀部に沿って湾曲し易くフィット性がよい。
【００２８】
かかる吸収性物品であって、前記幅方向に延出する一対のウィング部を備え、前記ウィング部よりも前記長手方向の外側、且つ、前記吸収性コアの前記幅方向の両端部に、前記吸収性コアの坪量が隣接領域に比べて低い一対の第２低坪量領域が設けられていること、を特徴とする吸収性物品である。
【００２９】
このような吸収性物品によれば、吸収性物品の長手方向の中央領域での幅方向の側部の立ち上がりが、長手方向の端部領域に伝達されてしまうことを防ぎ、端部領域が着用者の下腹部や臀部に沿って湾曲し易くフィット性がよい。
【００３０】
以下、本発明の吸収性物品として、生理用ナプキンを例に挙げて実施形態を説明する。但しこれに限定されず、本発明は、例えば、おりものシートや尿取りパッド等のその他の吸収性物品に対しても適用可能である。
【００３１】
＝＝＝生理用ナプキン１の基本構成＝＝＝
図１は、生理用ナプキン１（以下「ナプキン」という）を肌側から見た平面図である。図２は、ナプキン１を非肌側から見た平面図である。図３Ａは、図１中のＡＡ線におけるナプキン１の概略断面図である。図３Ｂは、点状圧搾部６及び線状圧搾部４０を説明するナプキン１の概略断面図である。
【００３２】
ナプキン１は、互いに直交する長手方向と幅方向と厚さ方向とを有する。長手方向において、着用者の下腹部に当接する側を前側といい、着用者の臀部に当接する側を後側という。厚さ方向において、着用者に接する側を肌側といい、その反対側を非肌側という。
【００３３】
図３Ａに示すように、ナプキン１では、厚さ方向の肌側から順に、一対のサイドシート２と、トップシート３と、セカンドシート４と、吸収体１０と、バックシート５が積層されている。これらの各部材２〜５、１０は厚さ方向に隣接する部材と不図示の接着剤で接合されている。なお、トップシート３、及び、セカンドシート４は、液透過性のシートであり、エアスルー不織布等を例示できる。バックシート５は、液不透過性のシートであり、ポリエチレン（ＰＥ）の樹脂フィルム等を例示できる。トップシート３、及び、バックシート５は、平面サイズが吸収体１０よりも大きく、吸収体１０の平面全体を覆っている。
【００３４】
ナプキン１は、吸収体１０が設けられたナプキン本体部２０と、ナプキン本体部２０の長手方向中央領域から幅方向の両外側に延出する一対のウィング部３０とを有する。ウィング部３０は、トップシート３の幅方向の両側部から外側に延出しているサイドシート２、及び、バックシート５によって形成されている。なお、ナプキン１がウィング部３０を有さない形態であってもよい。
【００３５】
ナプキン１において、ウィング部３０よりも長手方向の前側の領域を前側領域Ｒ１といい、ウィング部３０が設けられた領域を中央領域Ｒ２といい、ウィング部３０よりも長手方向の後側の領域を後側領域Ｒ３という。ナプキン１は、前側領域Ｒ１に位置する前側折り部Ｆｆと、後側領域Ｒ３に位置する後側折り折り部Ｆｂで、３つ折りにされて個別に包装される。
【００３６】
ナプキン本体部２０の非肌側面（バックシート５の非肌側面）には、接着剤が塗布される等した粘着領域２１が設けられている。ナプキン１の使用時に粘着領域２１は下着等の肌側面に貼り付けられ、これによりナプキン１は下着等に固定される。図２では、長手方向に長辺を有する長方形状の３個の粘着領域２１が長手方向に間隔を空けて並ぶと共に、その３個の粘着領域２１の列が幅方向に間隔を空けて８列並んでいるが、粘着領域２１の形状や数はこれに限定されない。
【００３７】
同様に各ウィング部３０の非肌側面（バックシート５の非肌側面）には、ウィング部用粘着領域３１が設けられている。ナプキン１の使用時に、ウィング部用粘着領域３１は下着等の非肌側面に貼り付けられ、これによりナプキン１は下着等に固定される。図２では、長手方向に長辺を有する長方形状の２個のウィング部用粘着領域３１が幅方向に並ぶが、ウィング部用粘着領域３１の形状や数はこれに限定されない。
【００３８】
吸収体１０は、排泄物を吸収して内部に保持する部材であり、図３Ａに示すように、吸収性コア１２と、吸収性コア１２よりも肌側に肌側シート１１と、吸収性コア１２よりも非肌側に非肌側シート１３とを有している。
【００３９】
吸収性コア１２は、液体吸収性繊維であるパルプ繊維やセルロール系吸収性繊維等に、液体吸収性粒状物である高吸収性ポリマー（所謂ＳＡＰ）等が加えられ、所定の形状に成形されたものである。肌側シート１１は、液透過性のシートであり、ティッシュペーパー等を例示できる。非肌側シート１３は、液透過性のシートであっても液不透過性のシートであってもよく、ティッシュペーパー等を例示できる。吸収性コア１２、肌側シート１１及び非肌側シート１３は、略同形の平面形状であり、吸収性コア１２を肌面側及び非肌面側からそれぞれ覆うようにして接着剤（不図示）によって接合されている。
【００４０】
図示しないが、吸収体１０には、その平面全域に亘って複数の吸収体点状圧搾部１４が均等に設けられている。吸収体点状圧搾部１４では、図３Ｂに示すように、吸収体１０が厚さ方向に圧搾（エンボス加工）されて厚さ方向に凹んでおり、隣接領域に比べて吸収性コア１２の密度が高くなっている。吸収体点状圧搾部１４によって、吸収体１０の剛性が高まり、排泄物等が長手方向に拡散し易くなっている。
【００４１】
ナプキン１の肌側面には、図１に示すように、複数の点状圧搾部６及び複数の線状圧搾部４０が設けられている。点状圧搾部６及び線状圧搾部４０では、図３Ｂに示すように、トップシート３、セカンドシート４、及び、吸収体１０が、厚さ方向の肌側から圧搾されて凹んでおり、隣接領域に比べて吸収性コア１２の密度が高くなっている。
【００４２】
複数の線状圧搾部４０は、吸収性コア１２の輪郭に沿って設けられている。複数の点状圧搾部６は、ナプキン１の中央領域Ｒ２の幅方向の両側部に設けられた一対の線状圧搾部４０の間に、比較的に大きな間隔を空けて千鳥状に並んで設けられている。
【００４３】
＝＝＝吸収体１０について＝＝＝
図４は、吸収体１０を説明するナプキン１の平面図である。
吸収体１０の幅方向の中央部には、長手方向に沿った折り誘導部１５が設けられている。折り誘導部１５では、図３Ｂに示すように、吸収体１０が厚さ方向の非肌側から圧搾されて凹んでおり、隣接領域に比べて吸収性コア１２の密度が高くなっている。折り誘導部１５によって、吸収体１０は肌側に突出するように長手方向に沿って折れ曲がり易く、着用者の排泄口（膣口）に密着し易くなっている。そのため、少なくともナプキン１の長手方向の中央領域Ｒ２に折り誘導部１５が設けられているとよい。
【００４４】
なお、折り誘導部１５は圧搾によって形成するに限らない。例えば、吸収性コア１２の坪量を長手方向に沿って低くしたり、吸収体１０を長手方向に沿って折り曲げる加工を製造工程で吸収体１０に施したり、ホットメルト接着剤を長手方向に沿って塗布したりすることで、折り誘導部１５を形成してもよい。
【００４５】
また、吸収性コア１２は、一対の前側切欠き部５０と、一対の後側切欠き部５１と、一対の前側スリット５２と、後側スリット５３と、前側くり抜き部５４とを有する。これらの部位５０〜５４では吸収性コア１２が存在せず、吸収性コア１２が存在する領域に比べて剛性が低くなっている。なお、上記部位５０〜５４において、肌側シート１１及び非肌側シート１３は存在していても非存在でもよい。
【００４６】
一対の前側切欠き部５０、及び、一対の後側切欠き部５１は、それぞれウィング部３０よりも長手方向の外側、且つ、吸収性コア１２の幅方向の両端部において、吸収性コア１２が切り欠かれた部位である。具体的には、幅方向の内側に凸となる山形状に吸収性コア１２が切り欠かれているが、切欠きの形状はこれに限定されない。また、一対の前側切欠き部５０（一対の第２低坪量領域）は、前側領域Ｒ１のうち中央領域Ｒ２（ウィング部３０）に寄った側に設けられており、長手方向において個別包装用の前側折り部Ｆｆと重複している。一対の後側切欠き部５１（一対の第２低坪量領域）は、後側領域Ｒ３のうち中央領域Ｒ２（ウィング部３０）に寄った側に設けられており、長手方向において後側折り部Ｆｂと重複している。
【００４７】
一対の前側スリット５２は、吸収性コア１２の前端から内方に向かって細長く吸収性コア１２が切り欠かれた部位であり、縦中心線ＣＬに対して対称に設けられている。縦中心線ＣＬはナプキン１を幅方向に二分する長手方向に沿った線である。また、前側スリット５２は、長手方向の中央側に向かって幅方向の内側に傾斜しており、前側切欠き部５０よりも長手方向の前側に設けられている。
【００４８】
後側スリット５３は、吸収性コア１２の後端における幅方向の中心から内方に向かって細長く長手方向に沿って吸収性コア１２が切り欠かれた部位である。後側スリット５３は、長手方向において後側切欠き部５１と重複する位置まで延びている。
【００４９】
前側くり抜き部５４は、長手方向において一対の前側切欠き部５０と重複する位置において、吸収性コア１２の幅方向の中央部が幅方向に細長く切り抜かれた部位である。
【００５０】
上記構成の吸収性コア１２を有するナプキン１は着用者にフィットし易い。そのため、排泄物が漏れ難く、ナプキン１を装着している違和感を軽減でき、着け心地がよい。以下、その点について説明する。
【００５１】
ナプキン１の中央領域Ｒ２は断面がＷ字形状となるように変形し易い。具体的には、折り誘導部１５によって幅方向の中央部が肌側に突出し易く、着用者の排泄口に密着する。また、下着の脚繰りのゴムの影響を受けて幅方向の両側部が肌側に立ち上がり、着用者の陰唇部を包み込む。ナプキン１の中央領域Ｒ２には点状圧搾部６や線状圧搾部４０が設けられている。そのため、幅方向の側部は、剛性が比較的に高く、着用者の脚の挟み込みの力で潰れることなく肌側に立ち上がる。
【００５２】
ナプキン１の前側領域Ｒ１及び後側領域Ｒ３は、一対の前側切欠き部５０及び一対の後側切欠き部５１が設けられた長手方向の位置を起点に立ち上がり易い。そのため、着用者の下腹部から股間部を通り臀部にかけた形状にナプキン１が変形し易く、着用者にフィットする。
【００５３】
また、ナプキン１の前側領域Ｒ１及び後側領域Ｒ３は、一対の前側切欠き部５０及び一対の後側切欠き部５１により中央領域Ｒ２に対してねじれ易くなっている（例えば縦中心線ＣＬを軸として揺動し易くなっている）。そのため、ナプキン１は着用者の様々な動きに追従でき、着用者に密着した状態が維持される。
【００５４】
更に、長手方向において一対の前側切欠き部５０と前側くり抜き部５４と前側折り畳み部Ｆｆとが重複している。また、長手方向において一対の後側切欠き部５１と後側折り畳みＦｂとが重複している。そのため、ナプキン１の前側領域Ｒ１及び後側領域Ｒ３は中央領域Ｒ２に対してより立ち上がり易くねじれ易くなっている。
【００５５】
また、一対の前側切欠き部５０及び一対の後側切欠き部５１では、ナプキン１の剛性が低く、変形し易い。そのため、ナプキン１の中央領域Ｒ２での幅方向の側部の立ち上がりが、一対の前側切欠き部５０及び一対の後側切欠き部５１によって断たれる。同様に、幅方向において後側スリット５３及び前側くり抜き部５４は折り誘導部１５と重複している。そのため、ナプキン１の中央領域Ｒ２での幅方向の中央部の立ち上がりが、後側スリット５３及び前側くり抜き部５４によって断たれる。つまり、ナプキン１の中央領域Ｒ２でのＷ字形状の変形が前側領域Ｒ１及び後側領域Ｒ３に伝達し難く、前側領域Ｒ１及び後側領域Ｒ３は、着用者の下腹部や臀部に沿った湾曲した面形状に変形し、着用者にフィットする。
【００５６】
また、ナプキン１の前側領域Ｒ１は、一対の前側スリット５２により、着用者の下腹部（所謂ビキニラインで囲われる逆三角形の部位）を包み込むように湾曲してフィットし易い。また、着用者の脚が閉じられ、前記逆三角形の部位が小さくなった際に、吸収性コア１２の余剰部分が前側スリット５２に逃げることができ、吸収性コア１２がくしゃくしゃに折れてしまうことを防止できる。つまり、前側スリット５２にてトップシート３やバックシート５が綺麗に折り畳まれ、前側領域Ｒ１は隙間なく着用者の下腹部にフィットする。
【００５７】
同様に、ナプキン１の後側領域Ｒ３は、後側スリット５３により、着用者の臀部に沿って湾曲してフィットし易い。また、後側スリット５３の両側の吸収性コア１２が独立して動き易い。そのため、着用者の歩行時等に左右の臀部の動きが異なる場合にも、左側臀部と右側臀部のそれぞれに吸収性コア１２が追従でき、臀部に密着した状態が維持され易い。
【００５８】
このようにナプキン１の前側領域Ｒ１及び後側領域Ｒ３には、後側スリット５３のように縦中心線ＣＬに沿ったスリットが設けられているか、或いは、一対の前側スリット５２のように縦中心線ＣＬ上の点から放射状に複数のスリットが設けられていることが好ましい。そうすることで、ナプキン１の前側領域Ｒ１及び後側領域Ｒ３が着用者の下腹部や臀部に沿い易くなる。
【００５９】
なお、本実施形態では、一対の前側切欠き部５０、一対の後側切欠き部５１、一対の前側スリット５２、後側スリット５３、及び、前側くり抜き部５４において、吸収性コア１２の坪量をゼロとしている。但しこれに限らず、上記部位５０〜５４において吸収性コア１２が存在していてもよく、隣接領域に比べて吸収性コア１２の坪量（単位面積当たりの質量[ｇ／ｍ2]）が低ければよい。その場合にも、上記部位５０〜５４では他の領域に比べて剛性が低くなり、同じ効果が得られる。また、吸収性コア１２が上記部位５０〜５４を有さない形態でもよい。
【００６０】
また、上記部位５０〜５４とその隣接領域との吸収性コア１２の坪量の比較は周知の方法で行えばよい。例えば、対象部位をナプキン１からサンプルとして切り出し、各サンプルの質量と面積を測定する。そして、単位面積当たりの質量を算出して比較する方法である。なお、比較サンプルの条件が同じであれば、吸収性コア１２に肌側シート１１及び非肌側シート１３が接着している状態での坪量を比較してもよい。
【００６１】
＝＝＝線状圧搾部４０について＝＝＝
図５は、前側領域Ｒ１に設けられた線状圧搾部４０を説明する図である。図６は、後側領域Ｒ３に設けられた線状圧搾部４０を説明する図である。前述のように、ナプキン１の肌側面には、吸収性コア１２の輪郭に沿って複数の線状圧搾部４０が設けられており、ナプキン１の非肌側面には、粘着領域２１が設けられている。図４から図６では平面視において（厚さ方向に見て）、線状圧搾部４０と粘着領域２１とが重複して描かれている。
【００６２】
本実施形態のナプキン１では、図４に示すように、吸収性コア１２の長手方向の端１２ａ，１２ｂの方が粘着領域２１の長手方向の端２１ａ，２１ｂよりも長手方向の外側に位置している。そのため、吸収性コア１２の長手方向の両端部は粘着領域２１と重複せず、下着に固定されない。
【００６３】
そこで、下着に固定されない吸収性コア１２の隅部１２Ａ（輪郭を太線で示した部位）に線状圧搾部４０が設けられている。具体的には、長手方向において粘着領域の端２１ａ，２１ｂよりも外側、且つ、幅方向の両端部（つまり縦中心線ＣＬに対して幅方向の一方側及び他方側）に、「第１線状圧搾部４１（第１凹部）」及び「第２線状圧搾部４２（第２凹部）」が設けられている。また、長手方向の両側にそれぞれ第１線状圧搾部４１及び第２線状圧搾部４２が設けられている。
【００６４】
なお、長手方向の前側の第１線状圧搾部４１Ａと前側の第２線状圧搾部４１Ｂは縦中心線ＣＬに対して対称な形状であり、後側の第１線状圧搾部４１Ｂと後側の第２線状圧搾部４２Ｂは縦中心線ＣＬに対して対称な形状であるが、これに限定されない。また、前側の第１線状圧搾部４１Ａ及び第２線状圧搾部４２Ａと、後側の第１線状圧搾部４１Ｂ及び後側の第２線状圧搾部４２Ｂは異なる形状であるが、これに限定されない。
【００６５】
線状圧搾部４０では、図３Ｂに示すように、吸収性コア１２が厚さ方向に凹んでおり、吸収性コア１２が圧搾されていない隣接領域に比べて吸収性コア１２の密度が高い。よって、線状圧搾部４０が設けられた部位では剛性は高い。ゆえに、吸収性コア１２の隅部１２Ａも第１線状圧搾部４１及び第２線状圧搾部４２により剛性が高くなっており、面形状を維持し易くなっている。よって、ナプキン１装着の為にナプキン１が貼り付けられた下着が引き上げられる際に、吸収性コア１２の隅部１２Ａが下着に固定されていなくとも、着用者側に倒れたり折れたりし難い。したがって、ナプキン１を介して下着が着用者に密着した際に、吸収性コア１２の隅部１２Ａがよれたり折れたりせずに、ナプキン１が適切に装着され易い。
【００６６】
換言すると、吸収性コア１２の隅部１２Ａに線状圧搾部４０が設けられた本実施形態のナプキン１によれば、粘着領域２１の長さが短くともナプキン１が適切に装着される。そのため、粘着領域２１を形成する接着剤の塗布量を減らすことができ、個別包装時に粘着領域２１を覆う剥離紙を小さくできるので、コストを軽減できる。
【００６７】
また、第１線状圧搾部４１と第２線状圧搾部４２は、幅方向において離間しており、不連続である。そのため、ナプキン１の前側領域Ｒ１及び後側領域Ｒ３は、平面状に固定され難く、しなやかに動き、幅方向の両端部が独立して動き易い。よって、ナプキン１の前側領域Ｒ１や後側領域Ｒ３は、着用者の下腹部や臀部に沿って湾曲し易い。また、左側臀部と右側臀部のそれぞれに追従でき、臀部に密着した状態が維持され易い。以上のように、本実施形態のナプキン１は、適切に装着されつつ、フィット性もよい。
【００６８】
また、第１線状圧搾部４１及び第２線状圧搾部４２は、長手方向において粘着領域２１の端２１ａ，２１ｂよりも外側であり、且つ、幅方向においても粘着領域２１の端２１ｃ，２１ｄよりも外側に設けられていることが好ましい。そうすることで、下着の引き上げ時により倒れ易く折れ易い吸収性コア１２の隅部１２Ａに線状圧搾部４０が設けられることになる。よって、より確実に、吸収性コア１２の隅部１２Ａがよれたり折れたりせずに、ナプキン１が装着され易い。
【００６９】
また、長手方向の少なくとも一方側に第１線状圧搾部４１及び第２線状圧搾部４２が設けられていればよいが、長手方向の両側にそれぞれ第１線状圧搾部４１及び第２線状圧搾部４２が設けられていることが好ましい。そうすることで、吸収性コア１２の４隅１２Ａがよれたり折れたりせずにナプキン１が装着され易い。
【００７０】
その場合、前側の第１線状圧搾部４１Ａ及び第２線状圧搾部４２Ａと、後側の第１線状圧搾部４１Ｂ及び第２線状圧搾部４２Ｂとが連続していると、ナプキン１の中央領域Ｒ２での幅方向の側部の立ち上がりが、前側領域Ｒ１及び後側領域Ｒ３に伝達されてしまう恐れがある。そこで、前側の第１線状圧搾部４１Ａと後側の第１線状圧搾部４１Ｂを長手方向において離間させ、前側の第２線状圧搾部４２Ａと後側の第２線状圧搾部４２Ｂを長手方向において離間させることが好ましい。そうすることで、ナプキン１の前側領域Ｒ１及び後側領域Ｒ３は、着用者の下腹部や臀部に沿って湾曲し、フィット性がよい。
【００７１】
また、前側の第１線状圧搾部４１Ａと前側の第２線状圧搾部４２Ａの間に一対の前側スリット５２が設けられており、後側の第１線状圧搾部４１Ｂと後側の第２線状圧搾部４２Ｂの間に後側スリット５３が設けられている。前述のように、吸収性コア１２に前側スリット５２や後側スリット５３（低坪量領域）が設けられていると、ナプキン１のフィット性が向上する。
【００７２】
その一方で、下着の引き上げ時に、前側スリット５２や後側スリット５３よりも幅方向の外側の部位が倒れたり折れたりし易くなる。そのため、本実施形態のナプキン１のように、前側スリット５２や後側スリット５３の幅方向の外側の部位に、つまり吸収性コア１２の隅部１２Ａに、第１線状圧搾部４１や第２線状圧搾部４２を設けることがより有効となる。
【００７３】
また、吸収性コア１２の隅部１２Ａだけでなく、一対の前側スリット５２の間の吸収性コア１２の部位１２Ｂも、ナプキン１の装着時に倒れたり折れたりする恐れがある。そこで、長手方向において粘着領域の端２１ａよりも前側（外側）、且つ、一対の前側スリット５２の間に、線状圧搾部４０（以下、第３線状圧搾部４３（第３凹部）ともいう）を設けるとよい。そうすることで、一対の前側スリット５２の間の吸収性コア１２の部位１２Ｂの剛性が高まり、面形状を維持し易くなる。よって、一対の前側スリット５２の間の吸収性コア１２の部位１２Ｂがよれたり折れたりせずにナプキン１が装着され易い。
【００７４】
また、第３線状圧搾部４３は、第１線状圧搾部４１と幅方向において離間し、第２線状圧搾部４２とも幅方向において離間していることが好ましい。そうすることで、一対の前側スリット５２で区画された吸収性コア１２の３つの領域１２Ａ，１２Ｂが独立して動き易く、ナプキン１の前側領域Ｒ１は着用者の下腹部に沿って湾曲し易い。
【００７５】
なお、線状圧搾部４０（第１凹部、第２凹部、第３凹部）では少なくとも吸収性コア１２の一部が圧搾されていればよく、本実施形態のようにトップシート３から圧搾されているに限らない。また、本実施形態の線状圧搾部４０では、複数の点状の圧搾部が狭い間隔で線状に並んでおり、線状圧搾部４０の平均の吸収性コア１２の密度が隣接領域に比べて高くなっている。但しこれに限らず、線状圧搾部４０はその全域が圧搾された溝状の圧搾部であってもよい。また、吸収性コア１２の隅部１２Ａや一対の前側スリット５２の間に、線状圧搾部４０ではなく、複数の点状の圧搾部を比較的に大きな間隔を空けて設けてもよい。
【００７６】
線状圧搾部４０とその隣接領域との吸収性コア１２の密度の比較は周知の方法で行えばよい。例えば、吸収性コア１２を厚さ方向に切った断面を電子顕微鏡等により撮影し、密度差を目視で比較したり、繊維の本数を数えて比較したりする方法である。その他、対象部位をナプキン１からサンプルとして切り出し、各サンプルの質量を面積で除することで坪量（ｇ／ｍ2）を算出し、その坪量を厚さで除することで密度（ｇ／ｍ3）を算出して比較してもよい。なお、比較サンプルの条件が同じであれば、吸収性コア１２に肌側シート１１や非肌側シート１３が接着している状態で比較してもよい。
【００７７】
また、一対の前側スリット５２それぞれの幅方向の両側に粘着領域２１が設けられていることが好ましい。同様に、後側スリット５３の幅方向の両側に粘着領域２１が設けられていることが好ましい。そうすることで、一対の前側スリット５２で区画された吸収性コア１２の３つの領域１２Ａ，１２Ｂ、及び、後側スリット５３で区画された吸収性コア１２の２つの領域１２Ａの根元部分に粘着領域２１が設けられ、その根元部分が下着に固定される。それに加えて、粘着領域２１よりも長手方向の外側には第１線状圧搾部４１〜第３線状圧搾部４３が設けられている。よって、一対の前側スリット５２や後側スリット５３で区画された吸収性コア１２の領域１２Ａ，１２Ｂが、下着の引き上げ時に倒れ難く折れ難くなり、吸収性コア１２がよれたり折れたりせずにナプキン１が装着され易い。
【００７８】
また、本実施形態のナプキン１では、第１線状圧搾部４１の一部、及び、第２線状圧搾部４２の一部が、粘着領域２１よりも長手方向の外側に設けられている。この場合、平面視において、第１線状圧搾部４１の別の一部（図５や図６の４１１，４１２）、及び、第２線状圧搾部４２の別の一部（図５や図６の４２１，４２２）が粘着領域２１と重複していることが好ましい。
【００７９】
そうすることで、線状圧搾部４０（４１，４２）が粘着領域２１と重複し、下着に固定される部位から連続して、吸収性コア１２の隅部１２Ａの剛性が高まる。そのため、下着の引き上げ時に、吸収性コア１２の隅部１２Ａは下着に沿った状態を維持し易く、倒れ難く折れ難くなる。よって、吸収性コア１２の隅部１２Ａがよれたり折れたりせずに、ナプキン１が装着され易い。
【００８０】
更に、図５に示すように長手方向の前側では、平面視において、第１線状圧搾部４１Ａの一端部４１１及び他端部４１２が粘着領域２１と重複し、第２線状圧搾部４２Ａの一端部４２１及び他端部４２２が粘着領域２１と重複している。つまり、前側の第１線状圧搾部４１Ａ、及び、前側の第２線状圧搾部４２Ａは、粘着領域２１と重複する領域から吸収性コア１２の隅部１２Ａを通り再び粘着領域２１と重複する領域に戻る形状を成している。
【００８１】
そのため、下着に固定される２か所（図５の４１１と４１２や４２１と４２２）から連続して吸収性コア１２の隅部１２Ａの剛性が高まる。そのため、下着の引き上げ時に吸収性コア１２の隅部１２Ａはより倒れ難く折れ難くなり、吸収性コア１２の隅部１２Ａがよれたり折れたりせずにナプキン１が装着される。
【００８２】
また、前側の第１線状圧搾部４１Ａ及び前側の第２線状圧搾部４２Ａは、長手方向の外側から中央側に折り返している折り返し部４４（例えば図５のｂ〜ｄの部分）を有する。同様に、後側の第１線状圧搾部４１Ｂ及び後側の第２線状圧搾部４２Ｂも、長手方向の外側から中央側に折り返している折り返し部４４（例えば図６のａ〜ｃの部分）を有する。
【００８３】
換言すると、各線状圧搾部４０の長手方向の最も外側の端から一端までの部位（例えば図５のｃ〜ａや図６のｂ〜ａ）と、前記外側の端から各線状圧搾部４０の他端までの部位（例えば図５のｃ〜ｅや図６のｂ〜ｄ）とが、幅方向に離間している。
【００８４】
そのため、線状圧搾部４０（４１，４２）が折り返している分だけ、吸収性コア１２の隅部１２Ａにおいて吸収性コア１２が圧搾されている領域が大きくなり、吸収性コア１２の隅部１２Ａの剛性がより高まる。また、折り返し部４４は長手方向の成分と幅方向の成分を有するため、折り返し部４４で囲まれた領域（斜線で示される部分）は平面形状を維持し易い。よって、下着の引き上げ時に吸収性コア１２の隅部１２Ａはより倒れ難く折れ難くなり、吸収性コア１２の隅部１２Ａがよれたり折れたりせずにナプキン１が装着される。
【００８５】
更に、線状圧搾部４０（４１，４２）の折り返し部４４は略ハート形状を成しており、折り返し部４４で囲まれた領域は略閉じられた領域となっている。そのため、ナプキン１のデザイン性が高まるとともに、折り返し部４４で囲まれた領域は、その内側の吸収性コア１２の密度が高まるので平面形状をより維持し易くなっている。
【００８６】
また、ナプキン１の前側領域Ｒ１では（図５）、一対の前側スリット５２が設けられ、その間の吸収性コア１２の部位１２Ｂが略ハート形状を成している。そのため、長手方向において、前側の第１線状圧搾部４１Ａ、前側の第２線状圧搾部４２Ａ、及び、第３線状圧搾部４３と重複する吸収性コア１２の部位は、その輪郭が凹凸形状を成し、所定数（ここでは４個）の突出部ｐ１〜ｐ４を有する。そして、前側の第１線状圧搾部４１Ａ、前側の第２線状圧搾部４２Ａ、及び、第３線状圧搾部４３は、吸収性コア１２の輪郭に沿っており、且つ、折り返し部４４が略ハート形状を成しているため、前記所定数（４個）以上の突出部ｐ１〜ｐ６（６個）を有する。
【００８７】
同様に、長手方向において後側の第１線状圧搾部４１Ｂ、及び、後側の第２線状圧搾部４２Ｂと重複する吸収性コア１２の部位（図６）は、その輪郭が凹凸形状を成し、所定数（ここでは８個）の突出部ｐ１〜ｐ８を有する。そして、後側の第１線状圧搾部４１Ｂ、及び、後側の第２線状圧搾部４２Ｂは、吸収性コア１２の輪郭に沿っているため、前記所定数（８個）と同数の突出部ｐ１〜ｐ８を有する。
【００８８】
ナプキン１の後側領域Ｒ３の輪郭が凹凸形状を成し、且つ、その輪郭に線状圧搾部４０（４１，４２）が沿うことで、着用者の動きに応じて吸収性コア１２が変形する際に、突出部ｐ１〜ｐ８の間の谷部ｐ０に沿って吸収性コア１２が折れ易く、折れ皺の発生を一定にできる。よって、吸収性コア１２がくしゃくしゃに折れてしまうことを防ぎ、無秩序な皺の発生による隙間の発生やナプキン１を装着している違和感を軽減できる。また、ナプキン１の後側領域Ｒ３に複数の谷部ｐ０が設けられていることで、着用者の種々の動きに応じて一定の折れ皺を発生させることができる。
【００８９】
このように線状圧搾部４０は吸収性コア１２の輪郭に沿って形成されている。具体的には吸収性コア１２の輪郭から１ｍｍ〜１０ｍｍ程度内側に、吸収性コア１２の輪郭と略同形状に線状圧搾部４０が形成されている。そうすることで、線状圧搾部４０の内側の膨らみによる着け心地の良い印象や、高級感のある印象を使用者に付与できる。また、本実施形態のナプキン１では、フィット性向上のために吸収性コア１２にスリット５２，５３が設けられていたり、輪郭が凹凸形状を成していたりと、吸収性コア１２の形状が特徴的である。そのため、線状圧搾部４０を吸収性コア１２の輪郭に沿わせることで、その特徴的な吸収性コア１２の形状を使用者に認識させることができる。
【００９０】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００９１】
１  生理用ナプキン（吸収性物品）、２  サイドシート、
３  トップシート、４  セカンドシート、５  バックシート、
Ｒ１  前側領域、Ｒ２  中央領域、Ｒ３  後側領域、
１０  吸収体、１１  肌側シート、１２  吸収性コア、１３  非肌側シート、
１４  吸収体点状圧搾部、１５  折り誘導部、
２０  ナプキン本体部、２１  粘着領域、
３０  ウィング部、３１  ウィング部用粘着領域、
４０  線状圧搾部、
４１  第１線状圧搾部（第１凹部）、４２  第２線状圧搾部（第２凹部）、
４３  第３線状圧搾部（第３凹部）、４４  折り返し部、
５０  前側切欠き部（第２低坪量領域）、５１  後側切欠き部（第２低坪量領域）、
５２  前側スリット（低坪量領域）、５３  後側スリット（低坪量領域）、
５４  前側くり抜き部、ｐ０  谷部、ｐ１〜ｐ８  突出部、
【図１】
2018121863.tif 000003
【図２】
2018121863.tif 000004
【図３】
2018121863.tif 000005
【図４】
2018121863.tif 000006
【図５】
2018121863.tif 000007
【図６】
2018121863.tif 000008
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
長手方向と幅方向と厚さ方向とを有し、吸収性コアを備える吸収性物品であって、
非肌側面に粘着領域が設けられており、
前記長手方向の少なくとも一方側の前記粘着領域の端よりも前記長手方向の外側、且つ、前記幅方向の両端部に、前記吸収性コアが前記厚さ方向に凹んだ第１凹部及び第２凹部が設けられており、
前記第１凹部及び前記第２凹部では、隣接領域に比べて前記吸収性コアの密度が高く、
前記第１凹部と前記第２凹部は、前記幅方向において離間しており、
前記第１凹部と前記第２凹部の間に、前記吸収性コアの坪量が隣接領域に比べて低い低坪量領域が設けられており、
前記第１凹部と前記第２凹部の間に、一対の前記低坪量領域が設けられており、
前記長手方向において前記粘着領域の端よりも外側、且つ、一対の前記低坪量領域の間に、前記吸収性コアが前記厚さ方向に凹んだ第３凹部が設けられており、
前記第３凹部では、隣接領域に比べて前記吸収性コアの密度が高いこと、を特徴とする吸収性物品。
【請求項２】
請求項１に記載の吸収性物品であって、
前記第１凹部及び前記第２凹部は、前記幅方向において前記粘着領域の端よりも外側に設けられていること、を特徴とする吸収性物品。
【請求項３】
請求項１又は請求項２に記載の吸収性物品であって、
前記低坪量領域の前記幅方向の両側に前記粘着領域が設けられていること、を特徴とする吸収性物品。
【請求項４】
請求項１から請求項３の何れか１項に記載の吸収性物品であって、
前記第１凹部及び前記第２凹部は線状の凹部であり、
平面視において、前記第１凹部及び前記第２凹部それぞれの一部が前記粘着領域と重複していること、を特徴とする吸収性物品。
【請求項５】
請求項４に記載の吸収性物品であって、
平面視において、前記第１凹部及び前記第２凹部それぞれの一端部及び他端部が前記粘着領域と重複していること、を特徴とする吸収性物品。
【請求項６】
請求項１から請求項５の何れか１項に記載の吸収性物品であって、
前記凹部は線状の凹部であり、前記長手方向の外側から中央側に折り返している折り返し部を有すること、を特徴とする吸収性物品。
【請求項７】
長手方向と幅方向と厚さ方向とを有し、吸収性コアを備える吸収性物品であって、
非肌側面に粘着領域が設けられており、
前記長手方向の少なくとも一方側の前記粘着領域の端よりも前記長手方向の外側、且つ、前記幅方向の両端部に、前記吸収性コアが前記厚さ方向に凹んだ第１凹部及び第２凹部が設けられており、
前記第１凹部及び前記第２凹部では、隣接領域に比べて前記吸収性コアの密度が高く、
前記第１凹部と前記第２凹部は、前記幅方向において離間しており、
前記長手方向において前記第１凹部及び前記第２凹部と重複する前記吸収性コアの部位は、その輪郭が凹凸形状を成し、所定数の突出部を有し、
前記第１凹部及び前記第２凹部は、前記吸収性コアの輪郭に沿った線状の凹部であり、前記所定数の突出部を有すること、を特徴とする吸収性物品。
【請求項８】
請求項１から請求項７の何れか１項に記載の吸収性物品であって、
前記長手方向の両側にそれぞれ前記第１凹部及び前記第２凹部が設けられており、
前記長手方向の前側の前記第１凹部及び第２凹部は、前記長手方向の後側の前記第１凹部及び前記第２凹部と、前記長手方向において離間していること、を特徴とする吸収性物品。
【請求項９】
長手方向と幅方向と厚さ方向とを有し、吸収性コアを備える吸収性物品であって、
非肌側面に粘着領域が設けられており、
前記長手方向の少なくとも一方側の前記粘着領域の端よりも前記長手方向の外側、且つ、前記幅方向の両端部に、前記吸収性コアが前記厚さ方向に凹んだ第１凹部及び第２凹部が設けられており、
前記第１凹部及び前記第２凹部では、隣接領域に比べて前記吸収性コアの密度が高く、
前記第１凹部と前記第２凹部は、前記幅方向において離間しており、
前記幅方向に延出する一対のウィング部を備え、
前記ウィング部よりも前記長手方向の外側、且つ、前記吸収性コアの前記幅方向の両端部に、前記吸収性コアの坪量が隣接領域に比べて低い一対の第２低坪量領域が設けられていること、を特徴とする吸収性物品。
【手続補正２】
【補正対象書類名】明細書
【補正対象項目名】０００５
【補正方法】変更
【補正の内容】
【０００５】
上記目的を達成するための主たる発明は、長手方向と幅方向と厚さ方向とを有し、吸収性コアを備える吸収性物品であって、非肌側面に粘着領域が設けられており、前記長手方向の少なくとも一方側の前記粘着領域の端よりも前記長手方向の外側、且つ、前記幅方向の両端部に、前記吸収性コアが前記厚さ方向に凹んだ第１凹部及び第２凹部が設けられており、前記第１凹部及び前記第２凹部では、隣接領域に比べて前記吸収性コアの密度が高く、前記第１凹部と前記第２凹部は、前記幅方向において離間しており、前記第１凹部と前記第２凹部の間に、前記吸収性コアの坪量が隣接領域に比べて低い低坪量領域が設けられており、前記第１凹部と前記第２凹部の間に、一対の前記低坪量領域が設けられており、前記長手方向において前記粘着領域の端よりも外側、且つ、一対の前記低坪量領域の間に、前記吸収性コアが前記厚さ方向に凹んだ第３凹部が設けられており、前記第３凹部では、隣接領域に比べて前記吸収性コアの密度が高いこと、を特徴とする吸収性物品である。
本発明の他の特徴については、本明細書及び添付図面の記載により明らかにする。